(57)【要約】【課題】放射線を放射線透過窓１０４を透過して放射する放射線発生ユニット１００と、可視光を照射する光源１０９及び反射ミラー１０５を備えた投光照準装置とを有する放射線発生装置において、装置を大型化させることなく、放射線照射野を目視等で事前に確認することが可能で、かつ、シェーディングを低減可能とする。【解決手段】放射線透過窓１０４及び反射ミラー１０５の少なくとも一方に、放射線照射野へ照射される放射線の斑を軽減する厚み変化をつける。【選択図】図１
2014008361.tif 000002
【特許請求の範囲】
【請求項１】
放射線を、放射線透過窓を透過して放射する放射線発生ユニットと、
可視光を照射する光源と、放射線中心軸に対して傾斜して設けられ、可視光を反射する反射面を有すると共に放射線が透過可能な反射ミラーとを備え、前記光源から照射され、前記反射ミラーで反射された可視光で形成される可視光照射野により、前記放射線発生ユニットから照射されて前記反射ミラーを透過した放射線で形成される放射線照射野を模擬表示する投光照準装置とを有する放射線発生装置において、
前記放射線透過窓及び前記反射ミラーの少なくとも一方に、放射線照射野へ照射される放射線の斑を軽減する厚み変化がつけられていることを特徴とする放射線発生装置。
【請求項２】
前記反射ミラーの厚み変化が、放射線の焦点から近い側は厚く、遠い側は薄くなる厚み変化であることを特徴とする請求項１に記載の放射線発生装置。
【請求項３】
前記反射ミラーが、基材層と、反射面を構成する反射材層とで形成されており、前記反射ミラーの厚み変化が、前記基材層の厚み変化としてつけられていることを特徴とする請求項２に記載の放射線発生装置。
【請求項４】
前記反射ミラーが、基材層と、反射面を構成する反射材層とで形成されており、前記反射ミラーの厚み変化が、前記反射材層の厚み変化としてつけられていることを特徴とする請求項２に記載の放射線発生装置。
【請求項５】
前記反射ミラーの厚み変化が、中心部から周縁に向かって徐々に薄くなるように前記反射面とは反対側の面を膨出させることで形成された厚み変化を併せ持つことを特徴とする請求項２乃至４のいずれか一項に記載の放射線発生装置
【請求項６】
前記放射線透過窓の厚み変化が、放射線の焦点と前記反射ミラーとの間が近い側は厚く、遠い側は薄くなる厚み変化であることを特徴とする請求項１乃至５のいずれか一項に記載の放射線発生装置。
【請求項７】
前記放射線透過窓の厚み変化が、中心部から周縁に向かって徐々に薄くなるように少なくとも片面を膨出させることで形成された厚み変化を併せ持つことを特徴とする請求項６に記載の放射線発生装置。
【請求項８】
請求項１乃至７のいずれか一項に記載の放射線発生装置において、
不要な放射線を除去するためのろ過板を有し、該ろ過板に、前記放射線透過窓及び前記反射ミラーの少なくとも一方と共に、放射線照射野へ照射される放射線の斑を軽減する厚み変化がつけられていることを特徴とする放射線発生装置。
【請求項９】
前記ろ過板の厚み変化が、放射線の焦点と前記反射ミラーと間が近い側は厚く、遠い側は薄くなる厚み変化であることを特徴とする請求項８に記載の放射線発生装置。
【請求項１０】
前記ろ過板の厚み変化が、中心部から周縁に向かって徐々に薄くなるように少なくとも片面を膨出させることで形成された厚み変化を併せ持つことを特徴とする請求項９に記載の放射線発生装置。
【請求項１１】
放射線を、放射線透過窓を透過して放射する放射線発生ユニットと、
可視光を照射する光源と、放射線中心軸に対して傾斜して設けられ、可視光を反射し放射線が透過可能な反射ミラーとを備え、前記光源から照射され、前記反射ミラーで反射された可視光で形成される可視光照射野により、前記放射線発生ユニットから照射されて前記反射ミラーを透過した放射線で形成される放射線照射野を模擬表示する投光照準装置と、
不要な放射線を除去するためのろ過板とを有する放射線発生装置において、
前記ろ過板に、放射線照射野へ照射される放射線の斑を軽減する厚み変化がつけられていることを特徴とする放射線発生装置。
【請求項１２】
前記ろ過板の厚み変化が、放射線の焦点と前記反射ミラーと間が近い側は厚く、遠い側は薄くなる厚み変化であることを特徴とする請求項１１に記載の放射線発生装置。
【請求項１３】
前記ろ過板の厚み変化が、中心部から周縁に向かって徐々に薄くなるように少なくとも片面を膨出させることで形成された厚み変化を併せ持つことを特徴とする請求項１２に記載の放射線発生装置。
【請求項１４】
前記投光照準装置と共に、前記放射線照射野の大きさを調整する照射野調整羽根を有する可動絞り装置が設けられていることを特徴とする請求項１乃至１３のいずれか一項に記載の放射線発生装置。
【請求項１５】
請求項１乃至１４いずれか１項に記載の放射線発生装置と、前記放射線発生装置から放出され、被検体を透過した放射線を検出する放射線検出装置と、前記放射線発生装置と前記放射線検出装置とを連携制御する制御装置とを備えていることを特徴とする放射線撮影システム。
【発明の詳細な説明】
【技術分野】
【０００１】
本発明は、投光照準装置を備えた放射線発生装置及びそれを用いた放射線撮影システムに関する。
【背景技術】
【０００２】
放射線発生装置では、不要な箇所に放射線が照射されないように、放射線照射野を事前に目視により確認する必要がある。目視するためには、放射線が当たる範囲と同一範囲に可視光を当てて、目視するという方法がとられている。可視光を放射線と同じ範囲に照射するために、可視光の光源と反射ミラーとを備え、反射ミラーを利用して装置外部に可視光を照射し、放射線の照射範囲を目視できるようにする投光照準装置が用いられている。一般的に、この投光照準装置における反射ミラーは、放射線の放射経路を覆って設けられているが、可視光を反射するが放射線は透過可能であることから、可視光は反射され、放射線は透過してそれぞれ外部に照射されるものとなっている。
【０００３】
従来、反射ミラーを可動式とし、放射線の放射時に反射ミラーを退避させることで、放射線が反射ミラーを透過することによる放射線量の減少を防止することが知られている（例えば、特許文献１参照）。
【先行技術文献】
【特許文献】
【０００４】
【特許文献１】特開２００５−６９７１号公報
【発明の概要】
【発明が解決しようとする課題】
【０００５】
一般的な放射線発生装置について図６を用いて更に説明する。収納容器１０１は、放射線の発生源となる焦点１０２を有する放射線発生管１０３と、焦点１０２から照射される放射線の照射範囲を制限する放射線透過窓１０４を有している。
【０００６】
反射ミラー１０５は、ある厚みを有するガラス板等で構成されており、片面に可視光を反射する反射面１０６を有し、可視光は反射するが放射線は透過可能となっている。反射ミラー１０５は、放射線透過窓１０４から照射される放射線照射範囲を全て覆い、かつ、反射面１０６が放射線中心軸１０７と約４５度の角度となるように設置されている。光源ユニット１０８は、光源１０９から放射される可視光の放射範囲を制限し、光源１０９から放射された光が、反射面１０６を介して、放射線透過窓１０４から照射される放射線照射野に対応した放射範囲に照射されるように設置されている。これによって、放射線を照射することなく、放射線照射野を目視等によって事前に確認することが可能となる。
【０００７】
しかし、反射ミラー１０５が放射線中心軸１０７に対して傾斜して設けられていることから、放射線の放射方向によって、放射線が反射ミラー１０５を透過する角度に相違を生じる。この透過角度の相違により、透過した放射線の放射線の線質や線量が変動して、放射線を均一な強さで照射できなくなる。なお、反射ミラー１０５を透過することにより放射線の線質や線量に変動を生じることを反射ミラー１０５のフィルタ効果という。
【０００８】
ところで、放射線発生管１０３が反射型放射線管である場合、ヒール効果により、放射線の照射位置によって放射線の線質や線量が変化することが知られている。これを緩和する方法として、反射ミラー１０５の取り付け方向を適切にすることにより、前記反射ミラー１０５のフィルタ効果とヒール効果とを相殺させることができる。
【０００９】
しかしながら、放射線発生管１０３が透過型放射線管等のように、ヒール効果のない放射線発生管の場合、反射ミラー１０５によるフィルタ効果のみが作用し、放射線照射野の位置による線質や線量の変化（以下シェーディングと呼ぶ）が生じる課題がある。これを、図５（ａ）を用いて説明する。
【００１０】
反射ミラー１０５は均一な板厚ｔを有する板で、放射線中心軸１０７に対し角度φ傾いて配置されている。このとき、焦点１０２から放出され放射線中心軸１０７を通過する放射線が、反射ミラー１０５内を通過する際の透過長は、ｔ／ｓｉｎφである。これに対し、焦点１０２から放出され放射線中心軸１０７に対し角度θを有する放射線１０７ａ、１０７ｂの反射ミラー１０５内を通過する際の透過長は、反射ミラー１０５の配置関係により透過長が異なる。
【００１１】
反射ミラー１０５の焦点１０２との距離が近い部分を通過する放射線１０７ａの透過長は、ｔ／ｓｉｎ（φ＋θ）となり、遠い部分を通過する放射線１０７ｂの透過長は、ｔ／ｓｉｎ（φ−θ）となる。このように、反射ミラー１０５におけるフィルタ効果は、反射ミラー１０５の法線が放射線中心軸１０７に対して傾いて配置されているため、放射線の放射方向によって反射ミラー１０５内部を通過する透過長が異なってしまう現象が生じる。
【００１２】
更に、ヒール効果がある反射型の放射線発生管１０３でも、反射ミラー１０５の配置する角度によっては、ヒール効果によるシェーディングを思ったよりも軽減できないという問題もある。
【００１３】
ところで、特許文献１に示されるように、反射ミラー１０５を可動式とし、放射線の照射時に退避させるようにすれば上記のような問題を解決可能である。しかし、ミラー退避機構を別途設ける必要があり、構造が複雑となる上、装置が大掛かりとなって大型化してしまう問題がある。
【００１４】
そこで、本発明の目的は、放射線発生装置において、装置を大型化させることなく、放射線照射野を目視等で事前に確認することが可能で、かつ、シェーディングを低減可能とすることを目的とする。また、本発明は、このシェーデイングを軽減した放射線発生装置を用いた放射線撮影システムを提供することも目的とする。
【課題を解決するための手段】
【００１５】
上記課題を解決するために、本発明の第１は、放射線を、放射線透過窓を透過して放射する放射線発生ユニットと、可視光を照射する光源と、放射線中心軸に対して傾斜して設けられ、可視光を反射し放射線が透過可能な反射ミラーとを備え、前記光源から照射され、前記反射ミラーで反射された可視光で形成される可視光照射野により、前記放射線発生ユニットから照射されて前記反射ミラーを透過した放射線で形成される放射線照射野を模擬表示する投光照準装置とを有する放射線発生装置において、前記放射線透過窓及び前記反射ミラーの少なくとも一方に、放射線照射野へ照射される放射線の斑を軽減する厚み変化がつけられていることを特徴とする放射線発生装置を提供するものである。
【００１６】
また、本発明の第２は、放射線を、放射線透過窓を透過して放射する放射線発生ユニットと、
可視光を照射する光源と、放射線中心軸に対して傾斜して設けられ、可視光を反射し放射線が透過可能な反射ミラーとを備え、前記光源から照射され、前記反射ミラーで反射された可視光で形成される可視光照射野により、前記放射線発生ユニットから照射されて前記反射ミラーを透過した放射線で形成される放射線照射野を模擬表示する投光照準装置と、
不要な放射線を除去するためのろ過板とを有する放射線発生装置において、
前記ろ過板に、放射線照射野へ照射される放射線の斑を軽減する厚み変化がつけられていることを特徴とする放射線発生装置を提供するものである。
【００１７】
更に本発明の第３は、上記いずれかの放射線発生装置と、前記放射線発生装置から放出され、被検体を透過した放射線を検出する放射線検出装置と、前記放射線発生装置と前記放射線検出装置とを連携制御する制御装置とを備えていることを特徴とする放射線撮影システムを提供するものである。
【発明の効果】
【００１８】
本発明の放射線発生装置によれば、反射ミラーが斜めに配置されていることにより生じるシェーディングを、反射ミラー、放射線透過窓又はろ過板の厚み変化により低減することが可能である。また、これらの厚み変化は、装置の構造や大きさにほとんど影響を与えないため、装置を大型化させることがなく、しかも既存の装置にも大幅な改造によらずに適用することができる。更に、本発明の放射線発生装置を用いた放射線撮影システムによれば、シェーディングの影響の少ないより良好な撮影が可能となる。
【図面の簡単な説明】
【００１９】
【図１】本発明の放射線発生装置の第１の実施例を示す図である。
【図２】本発明の放射線発生装置の第２の実施例を示す図である。
【図３】本発明の放射線発生装置の第３の実施例を示す図である。
【図４】本発明の放射線発生装置の第４の実施形態を示す図である。
【図５】放射線がミラー板を透過した際の比較図である。
【図６】従来例を示す図である。
【図７】本発明の放射線撮影システムの一実施形態を示す図である。
【発明を実施するための形態】
【００２０】
以下、図面を用いて本発明の実施形態を説明するが、本発明は下記実施形態に限定されない。なお、本明細書で特に図示又は記載されない部分に関しては、当該技術分野の周知又は公知技術を適用する。また、以下に参照する図面において、同じ符号は同様の構成要素を示す。
【００２１】
〔放射線発生装置の第一の実施形態〕
まず、図１を用いて本発明の放射線発生装置について説明する。図１は本発明の放射線発生装置の第１の実施形態を示す図である。
【００２２】
本発明の放射線発生装置は、放射線発生ユニット１００と、反射ミラー１０５及び光源ユニット１０８を有する投光照準装置とを備えている。
【００２３】
放射線発生ユニット１００は、収納容器１０１と、放射線発生管１０３と、放射線管駆動回路１１０とを有し、収納容器１０１内部に透過型放射線管１０３と放射線管駆動回路１１０が設置されている。また、これらの冷却媒体として収納容器１０１の内部の余剰空間は絶縁性液体１１１が内包されている。
【００２４】
絶縁性液体１１１は、電気絶縁性を有していれば良く、例えば鉱油、シリコーン油等の電気絶縁油や、フッ素系の絶縁性液体等が考えられるが、これに限定されない。
【００２５】
放射線発生管１０３は、この実施例では透過型放射線発生管である。放射線発生管１０３は、放射線管駆動回路１１０により放射線管内に電子を発生し、それらを高電圧によって加速させて、放射線を発生させることができるターゲット（不図示）に衝突させることにより、放射線を発生させる。この実施例では透過型放射線発生管を採用しているが、構成次第では反射型放射線発生管を使用しても良い。
【００２６】
焦点１０２は、放射線の発生箇所であり、ここでは放射線発生位置の中心で、ターゲットの電子線照射位置の中心を言う。また、収納容器１０１は、透過型放射線管１０３内部の焦点１０２から照射される放射線の照射範囲を制限しながら透過させる放射線透過窓１０４を有している。
【００２７】
反射ミラー１０５は、放射線が透過可能で、しかも片面に可視光を反射する反射面１０６を有している。反射ミラー１０５は、放射線透過窓１０４から照射される放射線照射範囲を全て覆い、かつ、反射面１０６の法線と、放射線中心軸１０７との角度が適切に調整されている。つまり、放射線中心軸１０７に対して反射面１０６が所定の角度となるように設置されている。反射ミラー１０５が放射線中心軸１０７に対して傾斜していることにより、図１における反射ミラー１０５の右側が焦点１０２から近い側で、左側が焦点１０２から遠い側となっている。ここで、放射線中心軸１０７とは、焦点１０２と放射線透過窓１０４の中心を結ぶ直線で、放射線窓１０４の中心とは、放射線透過窓１０４と同じ形状と大きさで厚さが均一な板材を想定した場合に、この板材の重心位置に対応する位置をいう。
【００２８】
上記反射ミラー１０５には、放射線照射野へ照射される放射線の斑を軽減する厚み変化がつけられている。本例の反射ミラー１０５は、断面楔形となるように厚み変化をつけた板で構成されており、反射ミラー１０５の放射線の焦点１０２から近い側は厚く、遠い側は薄くなる厚み変化がつけられている。
【００２９】
光源ユニット１０８は、光源１０９から放射される可視光の放射範囲を制限し、光源１０９から放射された光が、反射面１０６を介して、放射線透過窓１０４から照射される放射線の放射線照射野に対応した放射範囲となるよう設置されている。これによって可視光により放射線照射野を模擬表示することが可能となり、放射線照射野を目視等によって事前に確認することが可能となる。
【００３０】
このように構成された放射線発生ユニット１００において放射線を照射した際、放射線透過窓１０４から照射された放射線は、その放射方向によらず、反射ミラー１０５の内部を通過する際の透過長の差を低減できる。図５（ｂ）は放射線が反射ミラーを透過する状態を示した図である。図５（ｂ）の反射ミラー１０５は断面楔形状の厚みに変化をつけた板厚を有する板で、反射面１０６の法線が放射線中心軸１０７に対し角度φ傾いて配置されている。反射ミラー１０５内を通過する際の透過長をａに設定したい場合、焦点１０２から放出され放射線中心軸１０７を通過する放射線の部分の板厚をａ・ｓｉｎφとする。更に、放射線中心軸１０７に対し角度θを有する放射線１０７ａ、１０７ｂに対して、放射線１０７ａの通過する部分の板厚をａ・ｓｉｎ（φ＋θ）とし、放射線１０７ｂの通過する部分の板厚をａ・ｓｉｎ（φ−θ）とすることで、放射方向による透過長の差をなくすことが可能となる。このため、シェーディングを低減することが可能となる。
【００３１】
また、このシェーディングは図１のＸ方向だけでなく、影響は小さいが、紙面と垂直なＺ方向に関しても発生する。これに関しては、反射ミラー１０５の反射面の平坦性を維持したまま、中心部から周縁に向かって徐々に薄くなるように反射面１０６とは反対側の面を膨出させることで形成された厚み変化を併せ持たせることで低減することが可能である。不図示であるが、その際にも、Ｚ軸方向についてａ・ｓｉｎφを中心として、端部をａ・ｓｉｎ（φ＋θ）若しくは、ａ・ｓｉｎ（φ−θ）を用いて、照射される放射線が均一に是正されるような形状を特定することができる。
【００３２】
反射ミラー１０５は、単一材質の板材で構成することもできるが、例えばアクリル板などの基材層に反射面１０６を形成する反射材層を付設したものとすることができる。基材層は放射線を透過しやすく、反射面１０６を設置することが可能な材料であればよく、アクリル板に限定するものではない。また、反射面１０６に関しては、可視光の反射特性がよい薄板、もしくは薄膜等の反射材層を付設することで形成することができ、例えば、アルミや銀等の金属光沢を有する材料等を反射材層として付設することで構成することが考えられる。
【００３３】
反射ミラーの１０５の厚み変化は、反射ミラーを単一材質の板材で形成した場合、当該板材の厚み変化で形成するが、基材層と反射材層の積層体で形成した場合、基材層の厚み変化として形成しても、反射材層の厚み変化として形成してもよい。また、基材層と反射材層の両者の厚み変化として形成することもできる。いずれの場合も、基材層と反射材層を構成する材料の放射線の透過率から厚さ変化量を求めることができる。
【００３４】
光源１０９に関しては、放射線照射野と同等の範囲を十分な明るさで照射可能な光源であればよく、例えば、白熱ランプ、ハロゲンランプ、キセノンランプ、高輝度ＬＥＤ等が考えられる。
【００３５】
〔放射線発生装置の第２の実施形態〕
図２は、本発明の放射線発生装置の第２の実施形態を示す図である。
【００３６】
本実施形態では、反射ミラー１０５は均一な板厚を有した板で構成され、放射線透過窓１０４に放射線照射野へ照射される放射線の斑を軽減する厚み変化がつけられている。具体的には、焦点１０２と反射ミラー１０５との間が近い側は厚く、遠い側は薄くなるような厚み変化がつけられた楔形断面形状の放射線透過窓１０４となっている。
【００３７】
放射線透過窓１０４を上述の形状とすることにより、放射線透過窓１０４を透過した放射線を、通常の均一な板厚の反射ミラー１０６を透過することにより均一化される状態の放射線とすることができる。そして、放射線照射野に斑を軽減させた放射線を照射することが可能となる。
【００３８】
第１の実施形態でも説明した通り、Ｚ軸方向の斑を軽減するために、中心部から周縁に向かって徐々に薄くなるように少なくとも片面を膨出させることで形成された厚み変化を放射線透過窓１０４に併せ持たせることもできる。また、反射ミラー１０６及び放射線透過窓１０４のいずれか一方にのみ厚み変化をつけることでもよいが、両者に厚み変化をつけ、この両者の厚み変化でシェーディングを軽減するようにしてもよい。
【００３９】
〔放射線発生装置の第３の実施形態〕
図３は、本発明の第３の実施形態を示す図である。
【００４０】
本実施形態では、放射線透過窓１０４と反射ミラー１０５の略中間部に、不要な放射線を除去するためのろ過板１１２が設けられている。そして、このろ過板１１２に、放射線照射野へ照射される放射線の斑を軽減する厚み変化がつけられている。具体的には、照射される放射線が均一に是正されるように、放射線源と反射ミラーとの間が近い側は厚く、遠い側は薄くなるように厚み変化がつけられており、過板１１２は断面楔形となっている。これにより、放射線がろ過板１１２を通過する際に、放射線の強さが変更される。そして、反射ミラー１０５を放射線が透過することによりほぼ均一化され、シェーディングが低減された放射線を放射線照射野へ照射することが可能となる。
【００４１】
第１の実施形態でも説明した通り、Ｚ軸方向の斑を軽減するために、中心部から周縁に向かって徐々に薄くなるように少なくとも片面を膨出させることで形成された厚み変化をろ過板１１２に併せ持たせることもできる。
【００４２】
なお、不要な放射線としては、例えばエネルギーが約１０ｋｅＶ以下の軟Ｘ線を挙げることができる。軟Ｘ線は透過力が小さいため、撮影や透視等には不要となるが、被照射体で吸収されやすい。そのため、軟Ｘ線を利用するような場合を除き、Ｘ線照射の際には軟Ｘ線を遮断する必要があり、その手段としてろ過板１１２を配置することがある。
【００４３】
〔放射線発生装置の第４の実施形態〕
図４は本発明の放射線発生装置の第４の実施形態の一例について説明する図である。本実施形態では、図４で示すように、反射ミラー１０５及び光源ユニット１０８を覆うように、放射線遮蔽体である外囲器１２０が収納容器１０１と連続して設置されている。外囲器１２０は、収納容器１０１とは反対側に開口が設けられている構造となっている。また、この外囲器１２０の開口の外側に、前記放射線照射野の大きさを調整するための可動式の照射野調整羽根１２１が設けられている。外囲器１２０及び照射野調整羽根１２１は、反射ミラー１０５及び光源ユニット１０８を備えた投光照準装置と共に、可動絞りユニット１２２を形成している。照射野調整羽根１２１は、この例では開口の外側に配置されているが、外囲器１２０内の開口と反射ミラー１０６との間に配置する構成とすることもできる。
【００４４】
上記のように構成すると、可動絞りユニットにより、放射線照射野の大きさを調整することができると共に、それに対応して可視光照射野を形成して目視できるようにすることができる。
【００４５】
〔放射線撮影システムの一実施形態〕
図７は、本発明の放射線撮影システムの構成図である。システム制御装置２０２は、第１の実施形態から第３の実施形態で説明した放射線発生装置と同様の放射線発生装置２００と、放射線検出装置２０１とを連携制御する。制御部２０５は、システム制御装置２０２による制御の下に、放射線管２０６に各種の制御信号を出力する。制御信号により、放射線発生装置２００から放出される放射線の放出状態が制御される。放射線発生装置２００から放出された放射線は、被検体２０４を透過して検出器２０８で検出される。検出器２０８は、検出した放射線を画像信号に変換して信号処理部２０７に出力する。信号処理部２０７は、システム制御装置２０２による制御の下に、画像信号に所定の信号処理を施し、処理された画像信号をシステム制御装置２０２に出力する。システム制御装置２０２は、処理された画像信号に基いて、表示装置２０３に画像を表示させるための表示信号を表示装置２０３に出力する。表示装置２０３は、表示信号に基づく画像を、被検体２０４の撮影画像としてスクリーンに表示する。これにより、シェーディングを低減した放射線撮影システムを構築することが可能となる。
【００４６】
放射線の代表例はＸ線であり、本発明の放射線発生装置と放射線撮影システムは、Ｘ線発生装置とＸ線撮影システムとして利用することができる。Ｘ線撮影システムは、工業製品の非破壊検査や人体や動物の病理診断に用いることができる。
【実施例】
【００４７】
実施例１
本発明である、図１、及び図５（ｂ）のように構成された放射線発生装置を作製した。
【００４８】
収納容器１０１の放射線透過窓１０４は、焦点１０２から射出された放射線が、図５（ｂ）において、放射線中心軸１０７に対しθ＝１５°を最大とする拡がりを有するように大きさを設定した。反射ミラー１０５は、アクリル板の基材層と、アルミニウムの蒸着膜である反射材層とで構成され、反射面１０６の法線と放射線中心軸１０７とのなす角φが４５°となるように設置した。また、反射ミラー１０５を通過する際の透過長ａが約３ｍｍとなるように、基材層の板厚に変化を持たせた。
【００４９】
本実施例の場合、放射線中心軸１０７上に沿って放射された放射線が通過する箇所の板厚を２．０５ｍｍとした。また、θ＝１５°で放射された放射線が焦点１０２に近い部分を通過する箇所の板厚を２．６ｍｍとし、θ＝１５°で放射された放射線が焦点１０２から遠い部分を通過する箇所の板厚を１．５ｍｍとした。反射面１０６には、アルミニウムを厚さ１０μｍで蒸着した膜を設置した。更に光源ユニット１０８は、光源１０９から放射された可視光が、反射面１０６を介して、放射線透過窓１０４から照射される放射線照射野に対応した放射範囲となるよう、位置調整して設置した。また、この時、光源ユニット１０８が必要とする放射線照射野に照射される放射線と干渉しないよう、光源ユニット１０８のサイズと設置位置を調整した。これにより、放射線の射出方向による反射ミラー１０５の透過長の差異を低減でき、シェーディングを低減することが可能となった。
【００５０】
実施例２
図２のように構成された放射線発生装置を作製した。
【００５１】
本実施例では、反射ミラー１０５は均一な板厚を持つアクリル板の基材層と、アルミニウムの蒸着層である反射材層とで構成した。また、放射線透過窓１０４は、焦点１０２と反射ミラー１０５との間が近い側の厚さを４ｍｍ、遠い部側の厚さを３ｍｍとした楔形断面形状にして設置した。それ以外の部分は実施例１と同様とした。これにより、標準的な反射ミラー１０５を使用して実施例１と同等の効果を得ることが可能であった。
【００５２】
実施例３
図３のように構成された放射線発生装置について説明する。
【００５３】
本実施例では、反射ミラー１０５は均一な板厚を持つアクリル板の基材層と、アルミニウムの蒸着層である反射材層とで構成した。また、反射ミラー１０５と放射線透過窓１０４との中間部に、焦点１０２と反射ミラー１０５との間が近い側の厚さが２ｍｍ、遠い側の厚さが１ｍｍとした楔形断面のアルミニウム製のろ過板１１２を配置した。それ以外の部分は実施例１と同様とした。これにより、実施例１と同等の効果を得ることができ、かつ、ろ過板１１２によって不要な放射線を遮断することが可能であった。
【００５４】
実施例４
実施の形態１で説明した放射線発生装置を用い、図７のように構成された放射線撮影システムを作製した。放射線発生装置２００として図１の放射線発生装置を用いることにより、放射線を照射することなく、放射線照射野を目視等によって事前に確認することが可能で、かつシェーディングを低減した放射線撮影システムを構築することができた。
【符号の説明】
【００５５】
１００：放射線発生ユニット、１０１：収納容器、１０２：焦点、１０３：放射線発生管、１０４：放射線透過窓、１０５：反射ミラー、１０６：反射面、１０７：放射線中心軸、１０８：光源ユニット、１０９：光源、１１０：放射線管駆動回路、１１１：絶縁性液体、１１２：ろ過板、１２０：外囲器、１２１：照射野調整羽根、１２２：可動絞りユニット、２００：放射線発生装置、２０１：放射線検出装置、２０２：システム制御装置、２０３：表示装置、２０４：被検体、２０５：信号処理部、２０６：検出器
【図１】
2014008361.tif 000003
【図２】
2014008361.tif 000004
【図３】
2014008361.tif 000005
【図４】
2014008361.tif 000006
【図５】
2014008361.tif 000007
【図６】
2014008361.tif 000008
【図７】
2014008361.tif 000009